(57)【要約】      （修正有）【課題】穴の内部にある切り屑を除去可能であり、ブラシに付着する切り屑を容易に徹底的に除去可能であり、重ねて利用可能な清掃用ブラシを提供する。【解決手段】第１の端と、第２の端とを備え、第１の端は第１の連接部１４を有し、第２の端は、第１の毛部１１と、第２の毛部１２とを有し、第１の毛部と第２の毛部との間には、貯蔵部１３が設けられているロッド１と、第１の端と、第２の端とを備え、第１の端は第２の連接部２１を有し、第２の連接部２１は第１の連接部１４と結合可能であり、第２の端は第１の結合部２２を有する結合部材２と、を含む。ロッド１は、２本又は４本の金属ワイヤを捻って構成される。【選択図】図１
0003210824.tif 000002
【実用新案登録請求の範囲】
【請求項１】
第１の端と、第２の端とを備え、第１の端は第１の連接部を有し、第２の端は、第１の毛部と、第２の毛部とを有し、前記第１の毛部と前記第２の毛部との間には、貯蔵部が設けられているロッドと、
第１の端と、第２の端とを備え、第１の端は第２の連接部を有し、前記第２の連接部は前記第１の連接部と結合可能であり、第２の端は第１の結合部を有する結合部材と、
を含むことを特徴とする清掃用ブラシ。
【請求項２】
前記ロッドは、二本の金属ワイヤを捻じって構成され、前記第１の毛部と前記第２の毛部とを有することを特徴とする、請求項１に記載の清掃用ブラシ。
【請求項３】
前記ロッドは、４本の金属ワイヤを捻じって構成され、前記第１の毛部と前記第２の毛部とを有することを特徴とする、請求項１に記載の清掃用ブラシ。
【請求項４】
前記ロッドの前記第１の毛部と前記第２の毛部との軸方向に沿う長さは、同じ又は異なることを特徴とする、請求項１に記載の清掃用ブラシ。
【請求項５】
前記第１の毛部と前記第２の毛部とを回転するときに形成される直径は、同じ又は異なることを特徴とする、請求項１に記載の清掃用ブラシ。
【請求項６】
前記第１の毛部と前記第２の毛部との毛の材質は、同じ又は異なることを特徴とする、請求項１に記載の清掃用ブラシ。
【請求項７】
更に、延び部材を含み、前記延び部材は、第１の端と、第２の端とを有し、前記延び部材の第１の端は第４の連接部を有し、前記結合部材の第２の端に第３の連接部が形成され、前記第４の連接部は前記第３の連接部に結合可能であり、前記延び部材の第２の端は第２の結合部を有することを特徴とする、請求項１から請求項６の何れか一項に記載の清掃用ブラシ。
【請求項８】
前記第３の連接部と前記第４の連接部とは、ねじ部によって結合することを特徴とする、請求項７に記載の清掃用ブラシ。
【考案の詳細な説明】
【技術分野】
【０００１】
本考案は、清掃用ブラシに関し、特に、穴の内部にある切り屑を徹底的に除去可能な清掃用ブラシに関するものである。
【背景技術】
【０００２】
図７を参照する。従来の穴内部清潔用ブラシ９は、図７に示すように、ロッド９１の一端を連続に捻じることにより毛を固定して、毛部９２を形成する。ロッド９１の他端に結合部９３が形成される。結合部９３により、電動工具に穴内部清潔用ブラシ９を結合可能である。穴内部清潔用ブラシ９は、特許文献１の日本実用新案ＪＰ３１８８１４２Ｕの「穴内部清潔用ブラシビット」と、特許文献２の日本実用新案ＪＰ３２０５７６７Ｕの「清掃用ブラシ」等に開示されている。
【０００３】
穴内部清潔用ブラシ９は、毛部９２が単一で連続なため、コンクリート穴や木穴にある切り屑を除去する作業中に、切り屑が、螺旋状に連続するように配列される毛部９２に残る。これにより、穴内部清潔用ブラシ９を重ねて利用する場合には、予め毛部９２に残る切り屑を除去することが必要であるが、除去作業は時間がかなり掛かり、そして毛部９２に残る切り屑を徹底的に除去することが難しい。しかし、毛部９２に残る切り屑を徹底的に除去しないと、穴に接着剤を注入して工作物を接着しようとする場合には、工作物を良く接着できない問題がある。また、毛部９２に残る切り屑は、除去作業に時間がかなり掛かり、徹底的に除去することが難しいため、穴内部清潔用ブラシ９を再利用することが難しく、穴内部清潔用ブラシ９の寿命は長くない。
【先行技術文献】
【特許文献】
【０００４】
【特許文献１】日本実用新案ＪＰ３１８８１４２Ｕ
【特許文献２】日本実用新案ＪＰ３２０５７６７Ｕ
【考案の概要】
【考案が解決しようとする課題】
【０００５】
本考案の主な目的は、穴の内部にある切り屑を除去可能であり、清潔ブラシに付着する切り屑を容易で徹底的に除去可能であり、重ねて利用可能な清掃用ブラシを提供することにある。
【０００６】
本考案の次の目的は、清潔ブラシに付着する切り屑を容易で徹底的に除去可能なため、穴に接着剤を注入して工作物を接着しようとする場合には、穴に工作物を良く接着可能とする清掃用ブラシを提供することにある。
【課題を解決するための手段】
【０００７】
本考案の清掃用ブラシによると、第１の端と、第２の端とを備え、第１の端は第１の連接部を有し、第２の端は、第１の毛部と、第２の毛部とを有し、第１の毛部と第２の毛部との間には、貯蔵部が設けられているロッドと、
第１の端と、第２の端とを備え、第１の端は第２の連接部を有し、第２の連接部は第１の連接部と結合可能であり、第２の端は第１の結合部を有する結合部材と、
を含むことを特徴とする。
【０００８】
本考案の清掃用ブラシによると、ロッドは、二本の金属ワイヤを捻じって構成され、第１の毛部と第２の毛部とを有することを特徴とする。
【０００９】
本考案の清掃用ブラシによると、ロッドは、４本の金属ワイヤを捻じって構成され、第１の毛部と第２の毛部とを有することを特徴とする。
【００１０】
本考案の清掃用ブラシによると、ロッドの第１の毛部と第２の毛部との軸方向に沿う長さは、同じ又は異なることを特徴とする。
【００１１】
本考案の清掃用ブラシによると、第１の毛部と第２の毛部とを回転するときに形成される直径は、同じ又は異なることを特徴とする。
【００１２】
本考案の清掃用ブラシによると、第１の毛部と第２の毛部との毛の材質は、同じ又は異なることを特徴とする。
【００１３】
本考案の清掃用ブラシによると、更に、延び部材を含み、延び部材は、第１の端と、第２の端とを有し、延び部材の第１の端は第４の連接部を有し、結合部材の第２の端に第３の連接部が形成され、第４の連接部は第３の連接部に結合可能であり、延び部材の第２の端は第２の結合部を有することを特徴とする。
【００１４】
本考案の清掃用ブラシによると、第３の連接部と第４の連接部とは、ねじ部によって結合することを特徴とする。
【考案の効果】
【００１５】
本考案の清掃用ブラシによれば、次のような効果がある。
（１）穴の内部にある切り屑を除去可能であり、清潔ブラシに付着する切り屑を容易に徹底的に除去可能であり、重ねて利用可能である。
【００１６】
（２）清潔ブラシに付着する切り屑を容易に徹底的に除去可能なため、穴に接着剤を注入して工作物を接着しようとする場合には、穴に工作物を良く接着可能となる。
【図面の簡単な説明】
【００１７】
【図１】本考案の実施例１に係る清掃用ブラシを示す分解斜視図である。
【図２】本考案の実施例１に係るロッドを結合部材に結合した状態を示す斜視図である。
【図３】本考案の実施例１に係る清掃用ブラシの組合済み状態を示す断面図である。
【図４】本考案の実施例１に係るロッドの実施例を示す断面図である。
【図５】本考案の実施例１に係るロッドの別の実施例を示す断面図である。
【図６】本考案の実施例２に係る清掃用ブラシを示す分解斜視図である。
【図７】従来の穴の内部を清掃するための清潔用ブラシを示す斜視図である。
【考案を実施するための形態】
【００１８】
以下、本考案の実施の形態を図面に基づいて説明する。
（実施例１）
【００１９】
図１を参照する。本実施例に係る清掃用ブラシは、ロッド１と、結合部材２とから構成される。結合部材２は、ロッド１の第１の端に結合されている。
【００２０】
ロッド１は、より高い強度を有する金属ワイヤを採用する。金属ワイヤはスチールワイヤでもよい。金属ワイヤを捻じることにより、ロッド１が形成される。金属ワイヤを捻じっているときに、毛が金属ワイヤに挟まれて固定される。これにより、螺旋状に配列される毛は、ロッド１の第２の端に固定される。毛の配列が連続しないため、ロッド１の第２の端には、第１の毛部１１と、第２の毛部１２とが設けられている。第１の毛部１１と第２の毛部１２との間に貯蔵部１３が形成される。ロッド１の第１の毛部１１と第２の毛部１２との軸方向に沿う長さは、同じ又は異なる。第１の毛部１１と第２の毛部１２とを回転するときに形成される直径は、同じ又は異なる。第１の毛部１１と第２の毛部１２との毛は、金属またはナイロンなどを採用する。第１の毛部１１と第２の毛部１２との毛の材質は、同じ又は異なる。ロッド１の第１の端に第１の連接部１４が形成される。第１の連接部１４は結合部材２に結合可能である。
【００２１】
図１及び図２を参照する。結合部材２は、第１の端と、第２の端とを備える。結合部材２の第１の端は第２の連接部２１を有する。第２の連接部２１は第１の連接部１４と結合可能である。第２の連接部２１は穴であることが好ましい。これにより、ロッド状を呈する第１の連接部１４は、第２の連接部２１に直接に差し込んで結合可能である。第１の連接部１４と第２の連接部２１を結合する方式は、溶接またはプレス加工を採用する。本実施例では、図２に示すように、第２の連接部２１に第１の連接部１４を差し込んで、プレス加工により第２の連接部２１と第１の連接部１４を結合する。これにより、ロッド１と結合部材２とは結合されて一体となる。結合部材２の第２の端に第１の結合部２２が形成される。第１の結合部２２は、長形溝２２ａと、短い溝２２ｂと、を有する。第１の結合部２２により、電動工具、エア駆動工具または電動ドライバなどの工具に結合部材２を結合して駆動されることが可能である。
【００２２】
図３を参照する。図３は、ロッド１と結合部材２を組み付けた状態を示す図である。ロッド１は、穴状を呈する第２の連接部２１に第１の連接部１４を差し込んで、第１の連接部１４の直径が第２の連接部２１の穴径よりやや大きいため、第１の連接部１４と第２の連接部２１が結合されて一体となる。ロッド１の第２の端は、第１の毛部１１と、第２の毛部１２と、第１の毛部１１と第２の毛部１２との間に連続しないように設けられている貯蔵部１３と、を有する。
【００２３】
清掃用ブラシにより穴を清掃するときには、ロッド１を回転すると、ロッド１の第１の毛部１１が穴内にある切り屑を持ち上げる。穴内にある切り屑は、螺旋状を呈する第１の毛部１１により持ち上げられると、貯蔵部１３に進入する。第１の毛部１１と第２の毛部１２が連接せず、第１の毛部１１と第２の毛部１２との間に貯蔵部１３が形成されるため、切り屑は貯蔵部１３に溜める。このとき、ロッド１を穴にもっと深く差し込むと、第２の毛部１２が穴内にある切り屑を清掃可能なため、穴内にある切り屑を徹底的に除去可能である。
【００２４】
清掃作業を完成したとき、清掃用ブラシを引き出すことにより、第１の毛部１１と第２の毛部１２とが穴から離脱する。このとき、貯蔵部１３に溜める切り屑を容易に除去可能である。これにより、穴の内部にある切り屑を除去可能であり、清潔ブラシに付着する切り屑を容易に徹底的に除去可能であり、清潔ブラシを重複ねて利用可能であり、そして穴に接着剤を注入して工作物を接着しようとする場合には、穴に工作物を良く接着可能となる。
【００２５】
図４及び図５を参照する。本実施例に係るロッド１は、二本の金属ワイヤ１ａ、１ｂ、又は４本の金属ワイヤ１ａ、１ｂ、１ｃ、１ｄを捻じって構成される。金属ワイヤを捻じっているときに、毛が複数本の金属ワイヤに挟まれて固定される。このような技術は、当該分野の知識を有する者が理解できるため、説明を省略する。
（実施例２）
【００２６】
図６を参照する。本実施例に係る清掃用ブラシは、ロッド１と、結合部材３と、延び部材４とから構成される。ロッド１は、実施例１と同じように、第１の毛部１１と、第２の毛部１２と、貯蔵部１３と、第１の連接部１４と、を有する。
【００２７】
結合部材３は、第１の端と、第２の端と、を有する。結合部材３の第１の端は第２の連接部３１を有する。第２の連接部３１は第１の連接部１４に結合される。結合部材３の第２の端に第３の連接部３２が形成される。第３の連接部３２は、内ねじ又は外ねじである。本実施例では、第３の連接部３２が外ねじである。
【００２８】
延び部材４は、第１の端と、第２の端とを有する。延び部材４の第１の端は第４の連接部４１を有する。第４の連接部４１は、結合部材３の第３の連接部３２と結合可能であり、内ねじ又は外ねじである。本実施例では、第４の連接部４１が内ねじである。延び部材４の第２の端に第２の結合部４２が形成される。第２の結合部４２は、長形溝４２ａ、短い溝４２ｂ、又はその他の従来の結合構造である。第２の結合部４２により、電動工具、エア駆動工具または電動ドライバなどの工具に延び部材４を結合して駆動されることが可能である。
【００２９】
本実施例では、延び部材４を有するため、ロッド１の選択及び交換が更に容易となる。例えば各穴径や長さを有する穴、又は各材質の切り屑に応じて、適正なロッド１を選択して利用可能である。そして各工具の結合部に応じて、適正なロッド１を選択して利用可能である。
【００３０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３１】
本考案は、穴にある切り屑を清掃するための清掃用ブラシに適用することができる。
【符号の説明】
【００３２】
１  ロッド
１ａ、１ｂ、１ｃ、１ｄ  金属ワイヤ
２  結合部材
３  結合部材
４  延び部材
９  穴内部清潔用ブラシ
１１  第１の毛部
１２  第２の毛部
１３  貯蔵部
１４  第１の連接部
２１  第２の連接部
２２  第１の結合部
２２ａ  長形溝
２２ｂ  短い溝
３１  第２の連接部
３２  第３の連接部
４１  第４の連接部
４２  第２の結合部
４２ａ  長形溝
４２ｂ  短い溝
９１  ロッド
９２  毛部
９３  結合部
【図１】
0003210824.tif 000003
【図２】
0003210824.tif 000004
【図３】
0003210824.tif 000005
【図４】
0003210824.tif 000006
【図５】
0003210824.tif 000007
【図６】
0003210824.tif 000008
【図７】
0003210824.tif 000009